(57)【要約】【課題】信号発生手段から発生された信号を出力する信号出力手段を備えたヘッドレストがシートバックに対し着脱自在に設けられている場合であっても、簡便な構成でヘッドレストをシートバックに組み付けることができる車両用シートを提供することである。【解決手段】信号発生手段４１から発生された信号を出力する信号出力手段１３を備えたヘッドレスト１０がシートバック３０に対し着脱自在に設けられている車両用シートであって、シートバック３０には、信号発生手段４１と電気的に接続された赤外線送信手段３６が備えられており、ヘッドレスト１０には、信号出力手段１３と電気的に接続され、且つ赤外線送信手段３６から送信された信号を受信する赤外線受信手段１５が備えられており、信号発生手段４１から発生された信号は、赤外線送信手段３６および赤外線受信手段１５を介して信号出力手段１３によって出力される。【選択図】図２
2008206655.tif 000002
【特許請求の範囲】
【請求項１】
信号発生手段から発生された信号を出力する信号出力手段を備えたヘッドレストがシートバックに対し着脱自在に設けられている車両用シートであって、
前記シートバックには、前記信号発生手段と電気的に接続された赤外線送信手段が備えられており、
前記ヘッドレストには、前記信号出力手段と電気的に接続され、且つ前記赤外線送信手段から送信された信号を受信する赤外線受信手段が備えられており、
前記信号発生手段から発生された信号は、前記赤外線送信手段および前記赤外線受信手段を介して前記信号出力手段によって出力される車両用シート。
【請求項２】
請求項１に記載の車両用シートであって、
前記ヘッドレストは上下方向に配置された筒状のステーを介して前記シートバックに対して着脱自在に設けられおり、
前記赤外線送信手段の赤外線送信面は、前記ステーの下側開口部を臨むように向けられており、
前記赤外線受信手段の赤外線受信面は、前記ステーの上側開口部を臨むように向けられており、
前記赤外線送信手段から送信された信号は、前記ステーの内部を介して前記赤外線受信手段によって受信される車両用シート。
【発明の詳細な説明】
【技術分野】
【０００１】
本発明は、車両用シートに関し、詳しくは、信号発生手段から発生された信号を出力する信号出力手段を備えたヘッドレストがシートバックに対し着脱自在に設けられている車両用シートに関する。
【背景技術】
【０００２】
この種の車両用シートとして、例えば、特許文献１に関する技術が既に知られている。この技術では、ヘッドレストは、シートバックの上端に円筒状の２本のステーを介して着脱可能に組み付けられている。また、このヘッドレストの左右には、スピーカを内蔵したサイドヘッドレストが設けられている。このスピーカへの配線構造を詳述すると、シートバックには、アンプが内蔵されており、このアンプとスピーカとは２本のコードによって接続されている。このとき、２本のコードは、両ステーの内部にそれぞれ１本ずつ挿入された状態となっている。これにより、コードがヘッドレストおよびシートバックの外部に露出することがないため、車両用シートの見栄えを向上させることができる。
【特許文献１】実開平４−１０４９４８号公報
【発明の開示】
【発明が解決しようとする課題】
【０００３】
上述した車両用シートでは、ヘッドレストをシートバックに組み付ける場合、単に、ヘッドレストをシートバックに組み付けるだけでなく、ヘッドレストとシートバックとの間でコードの配線作業も行わなければならなかった。そのため、ヘッドレストの組み付け作業は複雑な作業となり簡便化することが求められていた。
【０００４】
本発明は、このような課題を解決しようとするもので、その目的は、信号発生手段から発生された信号を出力する信号出力手段を備えたヘッドレストがシートバックに対し着脱自在に設けられている場合であっても、簡便な構成でヘッドレストをシートバックに組み付けることができる車両用シートを提供することである。
【課題を解決するための手段】
【０００５】
本発明は、上記の目的を達成するためのものであって、以下のように構成されている。
請求項１に記載の発明は、信号発生手段（例えば、オーディオ）から発生された信号を出力する信号出力手段（例えば、スピーカ）を備えたヘッドレストがシートバックに対し着脱自在に設けられている車両用シートであって、前記シートバックには、前記信号発生手段と電気的に接続された赤外線送信手段が備えられており、前記ヘッドレストには、前記信号出力手段と電気的に接続され、且つ前記赤外線送信手段から送信された信号を受信する赤外線受信手段が備えられており、前記信号発生手段から発生された信号は、前記赤外線送信手段および前記赤外線受信手段を介して前記信号出力手段によって出力される構成である。
この構成によれば、赤外線送信手段から赤外線受信手段までの間は、電気的に無線状態となっている。これにより、ヘッドレストとシートバックとの間は、コードの配線作業が不要になるため、ヘッドレストの組み付け作業は簡便な作業となる。
【０００６】
また、請求項２に記載の発明は、請求項１に記載の車両用シートであって、前記ヘッドレストは上下方向に配置された筒状のステーを介して前記シートバックに対して着脱自在に設けられおり、前記赤外線送信手段の赤外線送信面は、前記ステーの下側開口部を臨むように向けられており、前記赤外線受信手段の赤外線受信面は、前記ステーの上側開口部を臨むように向けられており、前記赤外線送信手段から送信された信号は、前記ステーの内部を介して前記赤外線受信手段によって受信される構成である。
この構成によれば、赤外線送信手段から送信される音声信号は、ステーの内部を介して赤外線受信手段へ送られるため、送られる音声信号は途中で遮断されることがない。これにより、赤外線を使用した音声信号の伝送であっても、その伝送の信頼性を向上させることができる。
【発明を実施するための最良の形態】
【０００７】
以下、本発明を実施するための最良の形態を、図１〜３を用いて説明する。図１は、本発明に係る車両用シートにおけるバックフレーム３１の全体斜視図である。図２は、図１のＡ−Ａ断面図である。図３は、本発明に係る車両用シートの電気的構成を示すブロック図である。なお、これら図１〜２において、ＦＲ側は車両の前側、ＲＲ側は車両の後側、ＵＰ側は車両の上側、ＬＷＲ側は車両の下側として説明する。
【０００８】
図１〜２に示すように、本発明に係る車両用シートは、図示しないシートクッションとシートバック３０とからなるものである。このシートバック３０には、車両内部に設置されたオーディオ（信号発生手段）４１から発生された音声信号を出力するスピーカ（信号出力手段）１３を備えたヘッドレスト１０がシートバック３０に対し着脱自在に設けられている。以下に、これらヘッドレスト１０とシートバック３０を個別に説明する。
【０００９】
はじめに、ヘッドレスト１０を説明する。ヘッドレスト１０は、例えば、めっき金属パイプを略コ字状に曲折して形成されたステー１１と、このステー１１の上部を包み込むポリウレタンフォームなどの発泡材からなるパッドと、このパッドを覆うポリ塩化ビニルなどの表皮（いずれも、図示しない）とから構成されている。
【００１０】
このステー１１には、左右に２個のスピーカ１３を組み込んだプレート１２が組み付けられている。また、このステー１１の両脚１１ａにおける上部には、前側に向けて、略く字状に折り曲げられた折り曲げ部１１ｂが形成されている。この両折り曲げ部１１ｂの上側の外周面における脚１１ａの軸方向の延長線上には、上側開口部１１ｃが形成されている。この上側開口部１１ｃとステー１１の下端に形成された下側開口部１１ｄによって、ステー１１の脚１１ａの両端は、脚１１ａの軸方向において連通した状態となっている。
【００１１】
また、ステー１１の脚１１ａにおける上側開口部１１ｃの後側には、プレート１４がネジを介して組み付けられている。このプレート１４には、赤外線受信手段１５が組み付けられており、この赤外線受信手段１５の赤外線受信面１５ａはステー１１の上側開口部１１ｃを臨むように向けられている。
【００１２】
なお、この赤外線受信手段１５が組み付けられたプレート１４は、ステー１１の両脚１１ａにそれぞれ組み付けられている。また、図３に示すように、この赤外線受信手段１５とスピーカ１３とは、図示しないアンプ１８を介してコードによって電気的に接続されている。また、これら赤外線受信手段１５とアンプ１８は、ヘッドレスト１０の内部に設けられた図示しない電池１７によって給電されている。
【００１３】
次に、シートバック３０を説明する。図１〜２に戻って、シートバック３０は、バックフレーム３１と、このバックフレーム３１を包み込むポリウレタンフォームなどの発泡材からなるパッドと、このパッドを覆うポリ塩化ビニルなどの表皮（いずれも、図示しない）とから構成されている。
【００１４】
このバックフレーム３１は、アッパーフレーム３１ａと、このアッパーフレーム３１ａの両端から下方に向けて延設された左右のサイドフレーム３１ｂとから略逆Ｕ字状に構成されている。この左右のサイドフレーム３１ｂにおける上下方向の適当位置には、両サイドフレーム３１ｂを橋渡す格好となる補強部材３１ｃが組み付けられている。
【００１５】
アッパーフレーム３１ａの前側の左右には、一対の筒状のホルダー３２が組み付けられており、これら両ホルダー３２の内部には、ステー１１の両脚１１ａを挿入可能なサポート部材３３が組み付けられている。これにより、ヘッドレスト１０をシートバック３０に対して着脱させることができる。
【００１６】
このサポート部材３３の内面には爪（図示しない）が形成されており、この爪を係止可能な孔（図示しない）が脚１１ａの外周面の軸方向に複数形成されている。この脚１１ａの孔のいずれかにサポート部材３３の爪を係止させることで、ヘッドレスト１０をシートバック３０に対して所望する高さ位置で固定させることができる。
【００１７】
また、アッパーフレーム３１ａの後側には、プレート３４がネジ３９を介して組み付けられており、このプレート３４におけるの下端部には、両ホルダー３２の下方に位置するよう前方向に向けて台座３５が設けられている。これら両台座３５には、赤外線送信手段３６が組み付けられており、この赤外線送信手段３６の赤外線送信面３６ａはステー１１の下側開口部１１ｄを臨むように向けられている。
【００１８】
このとき、赤外線受信手段１５の受信感度を向上させるために、赤外線受信手段１５の赤外線受信面１５ａの中心と、赤外線送信手段３６の赤外線送信面３６ａの中心は、ステー１１の脚１１ａにおける軸芯の延長線上に位置するよう、赤外線受信手段１５と赤外線送信手段３６を設けることが好ましい。
【００１９】
図３に戻って、オーディオ４１と赤外線送信手段３６は、シートバック３０に設けられたアンプ３８を介してコードによって電気的に接続されている。また、これら赤外線送信手段３６とアンプ３８とオーディオ４１は、車両内に設けられたバッテリー４０によって給電されている。
【００２０】
続いて、上述した構成からなる車両用シートの作用を説明する。オーディオ４１から発生された音声信号は、アンプ３８を介して赤外線送信手段３６へ送られる。送られた音声信号は、赤外線送信手段３６からステー１１の内部を介して赤外線受信手段１５へ送られる。さらに、送られた音声信号は、アンプ１８を介してスピーカ１３へ送られる。そして、送られた音声信号は、スピーカ１３によって音声として出力される。
【００２１】
このようにしてオーディオ４１から発生された音声信号がスピーカ１３から出力されると、赤外線送信手段３６から赤外線受信手段１５までの間は、電気的に無線状態となっている。これにより、ヘッドレスト１０とシートバック３０との間は、コードの配線作業が不要になるため、ヘッドレストの組み付け作業は簡便な作業となる。
【００２２】
また、このように電気的に無線状態となっていると、既に説明したように、ヘッドレスト１０の高さ位置を調節した場合であっても、コードを介した従来の構造とは異なるため、コードが引っ張られたり、または弛んだりといった不具合が生じることはない。これにより、オーディオ４１から発生された音声信号を確実にスピーカ１３へ送ることができる。
【００２３】
また、上述した構成では、赤外線送信手段３６から送信される音声信号は、ステー１１の内部を介して赤外線受信手段１５へ送られるため、送られる音声信号は途中で遮断されることがない。これにより、赤外線を使用した音声信号の伝送であっても、その伝送の信頼性を向上させることができる。
【００２４】
上述した内容は、あくまでも本発明の一実施の形態に関するものであって、本発明が上記内容に限定されることを意味するものではない。
実施例では、信号発生手段から発生された信号を出力する信号出力手段の例として、オーディオ４１から発生された音声信号をスピーカ１３によって出力する場合を説明した。しかし、これに限定されるものでなく、オーディオ４１から発生された映像信号をモニターによって出力しても構わない。この場合のモニターは、例えば、後部座席の着座者のためにヘッドレスト１０の後面側に設けられるものである。
【００２５】
また、ステー１１の上下開口部１１ｃ、１１ｄの各開口径、および赤外線送信手段３６と赤外線受信手段１５との距離は、使用する赤外線の指向特性によって決められるものであり、赤外線の遮断および周波数に影響がでないものを使用する必要があることは言うまでもない。
【図面の簡単な説明】
【００２６】
【図１】図１は、本発明に係る車両用シートにおけるバックフレーム３１の全体斜視図である。
【図２】図２は、図１のＡ−Ａ断面図である。
【図３】図３は、本発明に係る車両用シートの電気的構成を示すブロック図である。
【符号の説明】
【００２７】
１０    ヘッドレスト
１１    ステー
１３    スピーカ（信号出力手段）
１５    赤外線受信手段
１５ａ  赤外線受信面
３０    シートバック
３６    赤外線送信手段
３６ａ  赤外線送信面
４１    オーディオ（信号発生手段）
【図１】
2008206655.tif 000003
【図２】
2008206655.tif 000004
【図３】
2008206655.tif 000005